(57)【要約】【課題】複数のスイッチにより冗長化を図ることができ、且つスイッチ又は接続経路に異常が生じた場合に、いずれの箇所に異常が生じているかをより正確に判別し易い構成を提供する。【解決手段】加熱調理器１において、第１スイッチＳＷ１及び第２スイッチＳＷ２側の第１回路３１には、制御回路側コネクタ２２とスイッチ側コネクタ２１とが連結される正規の連結時に、制御回路１０の対象送信ポート（送信ポートＰ１）に接続される信号線Ｌ２１と対象受信ポート（受信ポートＰ４）に接続される信号線Ｌ２４とを、第１スイッチＳＷ１及び第２スイッチＳＷ２を介さずに導通させる導通線Ｌ１２が設けられている。そして、制御回路に相当するマイクロコンピュータ１０は、対象送信ポートからの所定信号送信時における対象受信ポートでの受信結果に基づいてコネクタ部２０の異常を判定している。【選択図】図４
2015040665.tif 000002
【特許請求の範囲】
【請求項１】
少なくとも第１位置と第２位置とに変位する被操作部と、
前記被操作部が前記第１位置になった場合にオン又はオフのいずれか一方の状態となり、前記被操作部が前記第２位置になった場合にオン又はオフのいずれか他方の状態となる構成の、第１スイッチ及び第２スイッチと、
前記第１スイッチの入力側に接続される第１送信ポートと、前記第２スイッチの入力側に接続される第２送信ポートと、前記第１スイッチの出力側に接続される第１受信ポートと、前記第２スイッチの出力側に接続される第２受信ポートとを備え、前記第１送信ポート及び前記第２送信ポートからの信号送信及び前記第１受信ポート及び前記第２受信ポートを介した信号受信を行う制御回路と、
少なくとも前記制御回路の前記第１送信ポート及び前記第２送信ポートからの各信号線に導通する端子と前記第１受信ポート及び前記第２受信ポートからの各信号線に導通する端子とが配置された制御回路側コネクタと、前記第１スイッチ及び前記第２スイッチのそれぞれの入力側の各信号線に導通する端子と前記第１スイッチ及び前記第２スイッチのそれぞれの出力側の各信号線に導通する端子とが配置されたスイッチ側コネクタとを備え、前記制御回路側コネクタと前記スイッチ側コネクタとが着脱可能に接続されるコネクタ部と、
を備え、
前記制御回路側コネクタと前記スイッチ側コネクタとが連結される正規の連結時に、前記第１スイッチ及び前記第２スイッチ側の第１回路と、前記制御回路側の第２回路とが接続され、
前記第１回路には、前記第２回路において前記第１送信ポート又は前記第２送信ポートのいずれか一方の対象送信ポートに接続される信号線と、前記第２回路において前記第１受信ポート又は前記第２受信ポートのいずれか一方の対象受信ポートに接続される信号線とを、前記正規の連結時に前記第１スイッチ及び前記第２スイッチを介さずに導通させる導通線が設けられており、
前記制御回路は、前記対象送信ポートからの所定信号送信時における前記対象受信ポートでの受信結果に基づいて前記コネクタ部の異常を判定し、且つ少なくとも前記コネクタ部が正常と判定される場合に、前記第１送信ポート及び前記第２送信ポートからそれぞれ送信される各送信信号と、前記第１受信ポート及び前記第２受信ポートでそれぞれ受信される各受信信号とに基づいて前記被操作部の位置を判別することを特徴とする加熱調理器。
【請求項２】
前記第１回路は、
前記コネクタ部を介して前記第１送信ポートからの信号線に導通すると共に前記第１スイッチの入力側に接続される第１信号線と、
前記コネクタ部を介して前記第１送信ポートからの信号線に導通すると共に前記コネクタ部を介して前記第２受信ポートに導通する第２信号線と、
前記コネクタ部を介して前記第２送信ポートからの信号線に導通すると共に前記第２スイッチの入力側に接続される第３信号線と、
前記第１スイッチの出力側に接続されると共に前記コネクタ部を介して前記第１受信ポートに導通する第４信号線と、
前記第２スイッチの出力側に接続されると共に前記コネクタ部を介して前記第２受信ポートに導通する第５信号線と、
を備え、
前記第２信号線が前記導通線として構成され、
前記第１送信ポートが前記対象送信ポートとして構成され、
前記第２受信ポートが前記対象受信ポートとして構成されており、
前記第１スイッチは、前記被操作部が前記第１位置になった場合にオン又はオフのいずれかの状態となり、前記被操作部が前記第２位置になった場合に他の状態となり、
前記第２スイッチは、前記被操作部が前記第１位置になった場合に前記他の状態となり、前記被操作部が前記第２位置になった場合に前記いずれかの状態となる構成であり、
前記制御回路は、
前記第１送信ポートからＨレベル信号を送信し且つ前記第２送信ポートからＬレベル信号を送信したときに前記第１受信ポート及び前記第２受信ポートでそれぞれ得られる第１受信状態と、前記第１送信ポートからＬレベル信号を送信し且つ前記第２送信ポートからＨレベル信号を送信したときに前記第１受信ポート及び前記第２受信ポートでそれぞれ得られる第２受信状態とに基づいて前記コネクタ部が異常であるか否かを判定し且つ前記前記被操作部の位置を判別することを特徴とする請求項１に記載の加熱調理器。
【請求項３】
前記制御回路は、前記対象受信ポートでの受信結果に基づいて前記コネクタ部が正常であると判定した場合において、前記第１受信状態と前記第２受信状態とが予め定められた正規結果でない場合に前記第１スイッチ及び前記第２スイッチのいずれかの異常と判定することを特徴とする請求項２に記載の加熱調理器。
【請求項４】
前記制御回路は、前記対象送信ポートから前記所定信号を送信する処理を、時間間隔をあけて定期的に行い、前記所定信号の各送信時期に合わせて定期的に前記対象受信ポートの受信結果を検出して前記コネクタ部の異常を判定することを特徴とする請求項１から請求項３のいずれか一項に記載の加熱調理器。
【発明の詳細な説明】
【技術分野】
【０００１】
本発明は、加熱調理器に関するものである。
【背景技術】
【０００２】
ガスコンロ等の加熱調理器には、点火ボタンなどの外部操作可能な被操作部が設けられており、使用者による被操作部の操作に応じて装置内部に設けられたスイッチの状態が切り替わるようになっている。また、この種の加熱調理器では、特許文献１のように、スイッチや関連回路に生じる故障を検出し、その旨を報知する技術も提案されている。
【先行技術文献】
【特許文献】
【０００３】
【特許文献１】特開２０１３−２４４７０号公報
【発明の概要】
【発明が解決しようとする課題】
【０００４】
ところで、上述したように被操作部の操作に応じて装置内部のスイッチが切り替わる構成を採用する場合、被操作部の操作に応じて切り替わるスイッチを２つ以上設けることで冗長化を図ることができる。例えば、被操作部がオン状態になったときに２つのスイッチがそれぞれオン状態に対応する動作状態となり、一方のスイッチが故障しても、他方のスイッチの動作状態を判別することで被操作部の状態を把握することが可能となる。また、このような構成では、一方のスイッチの状態と他方のスイッチの状態に矛盾が生じた場合には、いずれかのスイッチに故障が生じていると判定することもできる。例えば、一方のスイッチが被操作部のオン状態を示しているのに、他方のスイッチが被操作部のオフ状態を示している場合、いずれかのスイッチに故障が生じていることが明らかであり、このような論理矛盾に基づいてスイッチの故障判定を行うことが可能となる。
【０００５】
しかしながら、この構成では、２つのスイッチとそれらスイッチの状態を判別する制御回路との間の接続経路に異常が生じたときにその異常を把握できないという問題がある。例えば２つのスイッチと制御回路とが一対のコネクタによる連結部を介して電気的に接続される場合、そのコネクタに抜けが生じて連結が解除されてしまうと、２つのスイッチから制御回路に向かうそれぞれの経路において信号が遮断されてしまうことになる。この場合、被操作部がオン状態に操作されて各スイッチが切り替わっても、各スイッチからの信号は制御回路に入力されないため、制御回路では被操作部がオン状態になっていることを把握できなくなる。従って、被操作部の操作に応じた正常な対応が制御回路でなされないという不具合が生じてしまう。
【０００６】
また、両スイッチからの信号が制御回路に入力する経路において、コネクタが抜けた時に当該経路を介して制御回路に入力される信号状態と、例えば正常時において被操作部がオフ状態になるときに当該経路を介して制御回路に入力される信号状態とが同じになるような場合、両スイッチの論理矛盾に基づく異常判定だけでは、これらの状態を区別することができない。つまり、このケースでは、接続経路に異常が生じているのに、制御回路は正常と判断し続けるような事態が生じ得る。
【０００７】
本発明は、上述した課題を解決するためになされたものであり、複数のスイッチにより冗長化を図ることができ、且つスイッチ又は接続経路に異常が生じた場合に、いずれの箇所に異常が生じているかをより正確に判別し易い構成を提供することを目的とする。
【課題を解決するための手段】
【０００８】
本発明は、少なくとも第１位置と第２位置とに変位する被操作部と、
前記被操作部が前記第１位置になった場合にオン又はオフのいずれか一方の状態となり、前記被操作部が前記第２位置になった場合にオン又はオフのいずれか他方の状態となる構成の、第１スイッチ及び第２スイッチと、
前記第１スイッチの入力側に接続される第１送信ポートと、前記第２スイッチの入力側に接続される第２送信ポートと、前記第１スイッチの出力側に接続される第１受信ポートと、前記第２スイッチの出力側に接続される第２受信ポートとを備え、前記第１送信ポート及び前記第２送信ポートからの信号送信及び前記第１受信ポート及び前記第２受信ポートを介した信号受信を行う制御回路と、
少なくとも前記制御回路の前記第１送信ポート及び前記第２送信ポートからの各信号線に導通する端子と前記第１受信ポート及び前記第２受信ポートからの各信号線に導通する端子とが配置された制御回路側コネクタと、前記第１スイッチ及び前記第２スイッチのそれぞれの入力側の各信号線に導通する端子と前記第１スイッチ及び前記第２スイッチのそれぞれの出力側の各信号線に導通する端子とが配置されたスイッチ側コネクタとを備え、前記制御回路側コネクタと前記スイッチ側コネクタとが着脱可能に接続されるコネクタ部と、
を備え、
前記制御回路側コネクタと前記スイッチ側コネクタとが連結される正規の連結時に、前記第１スイッチ及び前記第２スイッチ側の第１回路と、前記制御回路側の第２回路とが接続され、
前記第１回路には、前記第２回路において前記第１送信ポート又は前記第２送信ポートのいずれか一方の対象送信ポートに接続される信号線と、前記第２回路において前記第１受信ポート又は前記第２受信ポートのいずれか一方の対象受信ポートに接続される信号線とを、前記正規の連結時に前記第１スイッチ及び前記第２スイッチを介さずに導通させる導通線が設けられており、
前記制御回路は、前記対象送信ポートからの所定信号送信時における前記対象受信ポートでの受信結果に基づいて前記コネクタ部の異常を判定し、且つ少なくとも前記コネクタ部が正常と判定される場合に、前記第１送信ポート及び前記第２送信ポートからそれぞれ送信される各送信信号と、前記第１受信ポート及び前記第２受信ポートでそれぞれ受信される各受信信号とに基づいて前記被操作部の位置を判別することを特徴とする。
【発明の効果】
【０００９】
請求項１の発明において、第１スイッチ及び第２スイッチ側の第１回路には、制御回路側コネクタとスイッチ側コネクタとが連結される正規の連結時に、制御回路の対象送信ポートに接続される信号線と対象受信ポートに接続される信号線とを、第１スイッチ及び第２スイッチを介さずに導通させる導通線が設けられている。そして、制御回路は、対象送信ポートからの所定信号送信時における対象受信ポートでの受信結果に基づいてコネクタ部の異常を判定している。
このように、正規の連結時には、対象送信ポートと対象受信ポートとの間が導通線によって接続され、第１スイッチ及び第２スイッチの影響を抑えた信号伝達経路が構成されるため、制御回路では、対象送信ポートから所定信号を送信し、その時の対象受信ポートでの受信状態を把握することで、信号伝達経路が正常に構成されているか否か（即ち、制御回路側コネクタとスイッチ側コネクタとが正常に連結されているか否か）を、より正確に確認することが可能になる。
そして、少なくともコネクタ部が正常と判別される場合に、第１送信ポート及び第２送信ポートからそれぞれ送信される各送信信号と、第１受信ポート及び第２受信ポートでそれぞれ受信される各受信信号とに基づいて被操作部の位置を判別すれば、コネクタ部の異常に起因する誤認識等を抑制することができるため、被操作部の位置をより高精度に判別することが可能となる。
【００１０】
請求項２の発明では、第１回路において、コネクタ部を介して第１送信ポートからの信号線に導通すると共に第１スイッチの入力側に接続される第１信号線と、コネクタ部を介して第１送信ポートからの信号線に導通すると共にコネクタ部を介して第２受信ポートに導通する第２信号線と、コネクタ部を介して第２送信ポートからの信号線に導通すると共に第２スイッチの入力側に接続される第３信号線と、第１スイッチの出力側に接続されると共にコネクタ部を介して第１受信ポートに導通する第４信号線と、第２スイッチの出力側に接続されると共にコネクタ部を介して第２受信ポートに導通する第５信号線と、が設けられている。
そして、第２信号線が導通線として構成され、第１送信ポートが対象送信ポートとして構成され、第２受信ポートが対象受信ポートとして構成されている。更に、第１スイッチは、被操作部が第１位置になった場合にオン又はオフのいずれかの状態となり、被操作部が第２位置になった場合に他の状態となり、第２スイッチは、被操作部が第１位置になった場合に前記他の状態となり、被操作部が第２位置になった場合に前記いずれかの状態となる構成となっている。
この構成では、第１送信ポートから第２信号線を介して第２受信ポートに至るまでの経路を、コネクタの連結状態を判別する経路として利用することができる。特に、完全に専用化された送受信ポート及び短絡経路を設けるのではなく、スイッチ状態の判別に用いるポート及び経路をコネクタ状態の判別にも利用することができるため、ポート数の削減及び信号線の削減を図りやすくなる。
更に本発明では、制御回路は、第１送信ポートからＨレベル信号を送信し且つ第２送信ポートからＬレベル信号を送信したときに第１受信ポート及び第２受信ポートでそれぞれ得られる第１受信状態と、第１送信ポートからＬレベル信号を送信し且つ第２送信ポートからＨレベル信号を送信したときに第１受信ポート及び第２受信ポートでそれぞれ得られる第２受信状態とに基づいてコネクタ部が異常であるか否かを判定し且つ被操作部の位置を判別する構成となっている。
この構成では、正規の連結時に制御回路が第１送信ポートからＨレベル信号を送信した場合、第２受信ポートではそのＨレベル信号に対応する信号が確認されることになる。つまり、第２受信ポートでＨレベル信号に対応する信号が確認されなければ、コネクタが正常に連結されていないと判断することができる。
そして、コネクタが正常に連結されていると判断できた場合、第１送信ポートからＨレベル信号を送信し且つ第２送信ポートからＬレベル信号を送信したときに第１受信ポート及び第２受信ポートでそれぞれ得られる第１受信状態と、第１送信ポートからＬレベル信号を送信し且つ第２送信ポートからＨレベル信号を送信したときに第１受信ポート及び第２受信ポートでそれぞれ得られる第２受信状態とを把握すれば、コネクタが正常に連結されていることを前提として、被操作部がどの位置にあるかをより一層正確に判別し易くなる。
【００１１】
請求項３の発明では、制御回路は、対象受信ポートでの受信結果に基づいてコネクタ部が正常であると判定した場合において、第１受信状態と第２受信状態とが予め定められた正規結果でない場合に第１スイッチ及び第２スイッチのいずれかの異常と判定する構成となっている。
このような判定方法を用いれば、第１スイッチ又は第２スイッチの異常をコネクタ部の異常と区別してより正確に検出し易くなる。
【００１２】
請求項４の発明では、制御回路は、対象送信ポートから前記所定信号を送信する処理を、時間間隔をあけて定期的に行い、所定信号の各送信時期に合わせて定期的に対象受信ポートの受信結果を検出してコネクタ部の異常を判定する構成となっている。このように異常判定を行えば、異常検出用の電圧を常に印加するような構成と比較して制御回路や関連回路での電力消費を大幅に抑えることができ、一層の省電力化を図りやすくなる。
【図面の簡単な説明】
【００１３】
【図１】図１は、第１実施形態に係る加熱調理器を概略的に例示する斜視図である。
【図２】図２は、図１の加熱調理器における各ガスバーナへのガス供給路等を概念的に示す説明図である。
【図３】図３は、図１の加熱調理器の電気的構成を概略的に例示するブロック図である。
【図４】図４は、図１の加熱調理器におけるスイッチ部の構成を概略的に示す回路図である。
【図５】図５は、図１の加熱調理器で行われる判断処理の流れを例示するフローチャートである。
【発明を実施するための形態】
【００１４】
[第１実施形態]
以下、本発明を具現化した第１実施形態について、図面を参照して説明する。
（加熱調理器の全体構成）
図１に示す加熱調理器１は、調理鍋等の調理器具を加熱可能なビルトインコンロとして構成されている。この加熱調理器１は、加熱調理器本体１ａの上面を構成する天板２（トッププレート）から露出するように、右こんろ部４ａ、左こんろ部４ｂ、が夫々設けられ、その左右のこんろ部４ａ，４ｂの間で後方寄りに小こんろ部４ｃが設けられている。そして、天板２の下方において加熱調理器本体１ａの内部中央付近にはグリル３が設けられている。なお、グリル３は、被調理物を収納してグリルバーナ（ガスバーナ５４：図２）で加熱調理するグリル庫（図示略）を備えており、このグリル庫は、加熱調理器本体１ａの前面部に設けられたグリル扉３ｂによって開閉可能とされている。
【００１５】
図１に示す右こんろ部４ａ、左こんろ部４ｂ、小こんろ部４ｃ、グリル３には、図２に示すガスバーナ５１，５２，５３，５４がそれぞれ設けられている。そして、ガス供給路としては、複数のガスバーナ５１，５２，５３，５４への共通のガス経路となる共通供給路６０と、共通供給路６０から各ガスバーナ５１，５２，５３，５４に向けてそれぞれ分岐する複数の分岐供給路６１，６２，６３，６４とが設けられている。そして、共通供給路６０には、この共通供給路を開閉する元電磁弁Ｎ１が設けられ、各々の分岐供給路６１，６２，６３，６４には、火力調整部と、開閉弁とが設けられている。
【００１６】
図２のように、例えば、ガスバーナ５１への分岐供給路６１には、この分岐供給路６１を開閉可能な安全弁５１ｇと、分岐供給路６１を開閉可能な閉止弁５１ｆと、ガスバーナ５１へのガス供給量を調整可能な火力調整弁５１ｅとが設けられている。これら安全弁５１ｇ、閉止弁５１ｆ、火力調整弁５１ｅは、図３に示すステッピングモータＭ１によって駆動されるようになっており、ステッピングモータＭ１の回転角度が第１角度範囲になったときに安全弁５１ｇが開放し、モータＭ１の回転角度が第２角度範囲になったときに閉止弁５１ｆが開放し、ステッピングモータＭ１の回転角度が第３角度範囲のときに回転角度に応じて火力調整弁５１ｅの開度が設定されるようになっている。つまり、ステッピングモータＭ１の回転角度を制御することで、安全弁５１ｇ、閉止弁５１ｆの開閉、及び火力調整弁５１ｅの開度を制御できるようになっている。
【００１７】
また、図２のように、ガスバーナ５２への分岐供給路６２にも、分岐供給路６１と同様の安全弁５２ｇ，閉止弁５２ｆ、火力調整弁５２ｅが設けられ、ガスバーナ５３への分岐供給路６３にも、分岐供給路６１と同様の安全弁５３ｇ，閉止弁５３ｆ、火力調整弁５３ｅが設けられている。また、グリル３のガスバーナ５４（上バーナ５４ａ及び下バーナ５４ｂ）への分岐供給路６４には、分岐供給路６４を開閉する安全弁５４ｆと火力調整弁５４ｅとが設けられている。なお、分岐供給路６２での安全弁５２ｇ，閉止弁５２ｆ、火力調整弁５２ｅの制御は、分岐供給路６１と同様であり、ステッピングモータＭ２（図３）の回転角度を制御することで、安全弁５２ｇ、閉止弁５２ｆの開閉、及び火力調整弁５２ｅの開度を制御できるようになっている。また、分岐供給路６３での、安全弁５３ｇ，閉止弁５３ｆ、火力調整弁５３ｅの制御も分岐供給路６１と同様であり、ステッピングモータＭ３（図３）の回転角度を制御することで、安全弁５３ｇ、閉止弁５３ｆの開閉、及び火力調整弁５３ｅの開度を制御できるようになっている。
【００１８】
また、図２のように、グリル３のガスバーナ５４への分岐供給路６４には、この分岐供給路６４を開閉可能な安全弁５４ｆと、ガスバーナ５４へのガス供給量を調整可能な火力調整弁５４ｅとが設けられている。これら安全弁５４ｆ、火力調整弁５４ｅは、図３に示すステッピングモータＭ４によって駆動されるようになっており、ステッピングモータＭ４の回転角度が第１の所定角度範囲になったときに安全弁５４ｆが開放し、ステッピングモータＭ４の回転角度が第２の所定角度範囲になったときに回転角度に応じて火力調整弁５４ｅの開度が設定されるようになっている。なお、図２の例では、ステッピングモータＭ４の制御によって開閉する火力調整弁５４ｅを例示したが、火力調整弁５４ｅに代えて、下バーナ５４ｂへの供給路６５ｂを開閉する電磁弁と、上バーナ５４ａへの供給路６５ａを開閉する電磁弁と、これら電磁弁をバイパスするパイパス路とを設け、これら電磁弁を、ステッピングモータＭ４によらず、導通により開閉するようにしてもよい。また、元電磁弁Ｎ１は、例えば公知の電磁弁として構成され、マイクロコンピュータ１０からの制御信号に応じて開状態と閉状態に切り替えられるようになっている。また、ステッピングモータＭ１〜Ｍ４及び元電磁弁Ｎ１は、図３のように、マイクロコンピュータ１０からの制御信号に応じて動作する駆動回路４１〜４５によって駆動されるようになっている。
【００１９】
また、右こんろ部４ａ、左こんろ部４ｂ、小こんろ部４ｃ、グリル３にそれぞれ対応するように４つの回転操作部６が設けられている。第１の回転操作部６ａ、第２の回転操作部６ｂ、第３の回転操作部６ｃは、右側の前面パネル７ａから露出するように設けられている。尚、実際の各こんろ部との位置関係と一致するよう、右こんろ部４ａに対応する回転操作部６ａが右側に、左こんろ部６ｂに対応する回転操作部６ｂが左側に、小こんろ部４ｃに対応する回転操作部６ｃが回転操作部６ａ，６ｂの間に配置されている。また、グリル３に対応する第４の回転操作部６ｄは、左側の前面パネル７ｂから露出するように設けられている。
【００２０】
第１の回転操作部６ａは、右こんろ部４ａの点火、消火、火力調整を行うものであり、押圧操作可能に構成され、且つ回転操作可能に構成されている。例えば、消火時には、図１の実線のように、円筒状に構成された回転操作部６ａの前面部が後方に退避するようになっている。そして、この状態から前面部を押圧することで、右こんろ部４ａの点火がなされ、二点鎖線６’で示すように前面部が消火時よりも前方位置になるように回転操作部６ａが突出するようになっている。また、このような突出状態のときに回転操作部６ａを一方の回転方向に回転させることで、対応する右こんろ部４ａの火力を増大することができ、逆に、回転操作部６ａを他方の回転方向に回転させることで、対応する右こんろ部４ａの火力を減少することができるようになっている。また、二点鎖線６’で示す突出状態のときに前面部を押圧すると、実線で示す退避状態に戻り、このときには右こんろ部４ａの消火がなされる。
【００２１】
なお、回転操作部６ｂは、左こんろ部４ｂの点火、消火、火力調整を行い、回転操作部６ｃは、小こんろ部４ｃの点火、消火、火力調整を行い、回転操作部６ｄは、グリル３の点火、消火、火力調整を行うものである。これらは対象が異なるだけで、基本的な構造、機能は回転操作部６ａと同様である。
【００２２】
（スイッチ部の構成）
次に、スイッチ部の構成について説明する。本構成では、図３のように、各回転操作部６ａ，６ｂ，６ｃ，６ｄに対応してスイッチ部３０ａ，３０ｂ，３０ｃ，３０ｄがそれぞれ設けられている。スイッチ部３０ａ，３０ｂ，３０ｃ，３０ｄはいずれも、図４のように構成されており、回転操作部の状態に応じた信号をマイクロコンピュータ１０に対して出力するように構成されている。なお、以下の説明では、図４に示すスイッチ部３０が、回転操作部６ａに対応するスイッチ部３０ａである場合を具体例として説明するが、他のスイッチ部３０ｂ，３０ｃ，３０ｄもスイッチ部３０ａと同様に構成され、同様に機能する。
【００２３】
本構成では、被操作部に相当する回転操作部６ａが図１の実線で示す第１位置（消火位置）と二点鎖線で示す第２位置（点火位置）とに変位するようになっている。そして、この回転操作部６ａの後方側には、図４に示す第１スイッチＳＷ１及び第２スイッチＳＷ２が設けられている。第１スイッチＳＷ１は、回転操作部６ａが第１位置（消火位置）になった場合にオフ状態となり、回転操作部６ａが第２位置（点火位置）になった場合にオン状態となる構成となっている。逆に、第２スイッチＳＷ２は、回転操作部６ａが第１位置（消火位置）になった場合にオン状態となり、回転操作部６ａが第２位置（点火位置）になった場合にオフ状態となる構成となっている。
【００２４】
制御回路に相当するマイクロコンピュータ（以下、マイコンとも称する）１０は、第１スイッチＳＷ１の入力側に接続される第１送信ポートＰ１と、第２スイッチＳＷ２の入力側に接続される第２送信ポートＰ２と、第１スイッチＳＷ１の出力側に接続される第１受信ポートＰ３と、第２スイッチＳＷ２の出力側に接続される第２受信ポートＰ４とを備えている。そして、第１送信ポートＰ１及び第２送信ポートＰ２からの信号送信及び第１受信ポートＰ３及び第２受信ポートＰ４を介した信号受信を行う構成となっている。
【００２５】
更に本構成では、第１スイッチＳＷ１及び第２スイッチＳＷ２側に第１回路３１が設けられており、マイクロコンピュータ１０側に第２回路３２が設けられている。第１回路３１は、例えば第１スイッチＳＷ１や第２スイッチＳＷ２を実装する回路基板やハーネスなどによって構成されている。また、第２回路３２は、例えばマイクロコンピュータ１０を実装する回路基板やハーネスなどによって構成されている。そして、第１回路３１に電気的に接続される構成でスイッチ側コネクタ２１が設けられ、第２回路３２に電気的に接続される構成で制御回路側コネクタ２２が設けられており、制御回路側コネクタ２２とスイッチ側コネクタ２１とが着脱可能に接続される構成で、これら制御回路側コネクタ２２及びスイッチ側コネクタ２１によってコネクタ部２０が構成されている。
【００２６】
制御回路側コネクタ２２は、マイクロコンピュータ１０の第１送信ポートＰ１及び第２送信ポートＰ２からの各信号線Ｌ２１，Ｌ２２にそれぞれ導通する端子Ｔ２１，Ｔ２２と第１受信ポートＰ３及び第２受信ポートＰ４からの各信号線Ｌ２３，Ｌ２４にそれぞれ導通する端子Ｔ２３，２４とが配置されている。また、スイッチ側コネクタ２１には、第１スイッチＳＷ１及び第２スイッチＳＷ２のそれぞれの入力側の各信号線Ｌ１１，Ｌ１３に導通する端子Ｔ１１，Ｔ１２と第１スイッチＳＷ１及び第２スイッチＳＷ２のそれぞれの出力側の各信号線Ｌ１４，Ｌ１５に導通する端子Ｔ１３，１４とが配置されている。そして、制御回路側コネクタ２２とスイッチ側コネクタ２１とが連結される正規の連結時には、スイッチ側コネクタ２１の端子Ｔ１１，Ｔ１２，Ｔ１３，Ｔ１４が、制御回路側コネクタ２２の端子Ｔ２１，Ｔ２２，Ｔ２３，Ｔ２４とそれぞれ接触して導通するようになっている。
【００２７】
本構成では、第１送信ポートＰ１が対象送信ポートとして機能し、第２受信ポートＰ４が対象受信ポートとして機能している。そして、第１回路３１には、信号線Ｌ１０及びコネクタ部２０を介して第１送信ポートＰ１からの信号線Ｌ２１（対象送信ポートに接続される信号線）に導通すると共に第１スイッチＳＷ１の入力側に接続される第１信号線Ｌ１１が設けられている。更に、第１回路３１には、信号線Ｌ１０及びコネクタ部２０を介して第１送信ポートＰ１からの信号線Ｌ２１に導通すると共に、信号線Ｌ１５及びコネクタ部２０を介して信号線Ｌ２４（対象受信ポートに接続される信号線）及び第２受信ポートＰ４に導通する第２信号線Ｌ１２が設けられている。これら第１信号線Ｌ１１及び第２信号線Ｌ１２は、信号線Ｌ２１に接続される端子Ｔ１１からの信号線Ｌ１０から接続部Ａ１を起点として分岐した構成となっている。
【００２８】
更に、第１回路３１には、コネクタ部２０を介して第２送信ポートＰ２からの信号線Ｌ２２に導通すると共に第２スイッチＳＷ２の入力側に接続される第３信号線Ｌ１３と、第１スイッチＳＷ１の出力側に接続されると共にコネクタ部２０を介して信号線Ｌ２３及び第１受信ポートＰ３に導通する第４信号線Ｌ１４と、第２スイッチＳＷ２の出力側に接続されると共にコネクタ部２０を介して信号線Ｌ２４及び第２受信ポートＰ４に導通する第５信号線Ｌ１５とが設けられている。
【００２９】
そして、本構成では、信号線Ｌ１０と、第２信号線Ｌ１２と、第５信号線Ｌ１５の一部（接続部Ａ２と端子Ｔ１４の間の部分）とが導通線として機能し、制御回路側コネクタ２２とスイッチ側コネクタ２１とが連結される正規の連結時（即ち、スイッチ側コネクタ２１の端子Ｔ１１，Ｔ１２，Ｔ１３，Ｔ１４が、制御回路側コネクタ２２の端子Ｔ２１，Ｔ２２，Ｔ２３，Ｔ２４とそれぞれ接触して導通する時）に、第１送信ポートＰ１（対象送信ポート）と第２受信ポートＰ４（対象受信ポート）とを、第１スイッチＳＷ１及び第２スイッチＳＷ２を介さずに導通させる構成となっている。
【００３０】
また、本構成では、図４のように、スイッチＳＷ１と端子Ｔ１３の間にはダイオードＤ１が介在しており、端子Ｔ１３側からスイッチＳＷ１側へ電流が流れることが防がれている。また、スイッチＳＷ２と端子Ｔ１４の間にはダイオードＤ２が介在しており、端子Ｔ１４側からスイッチＳＷ２側へ電流が流れることが防がれている。また、第２信号線Ｌ１２において、接続部Ａ１と接続部Ａ２の間にはダイオードＤ３が介在しており、接続部Ａ２側から接続部Ａ１側に電流が流れることが防がれている。また、本構成では、端子Ｔ２３と第１受信ポートＰ３の間の信号線Ｌ２３は、抵抗Ｒ１を介してグランドに接続されており、端子Ｔ２４と第２受信ポートＰ４の間の信号線Ｌ２４は、抵抗Ｒ２を介してグランドに接続されている。
【００３１】
このように構成されるスイッチ部３０ａでは、コネクタ部２０が正規の連結状態（スイッチ側コネクタ２１の端子Ｔ１１，Ｔ１２，Ｔ１３，Ｔ１４が、制御回路側コネクタ２２の端子Ｔ２１，Ｔ２２，Ｔ２３，Ｔ２４とそれぞれ接触して導通する状態）のときには、第１送信ポートＰ１と第２受信ポートＰ４とが、スイッチＳＷ１、ＳＷ２の状態に関係なく常に導通した状態となる。従って、第１送信ポートＰ１からＨレベル信号を出力したときに第２受信ポートＰ４でＨレベル信号が受信されなければコネクタ部２０が正規の連結状態ではないことが判明する。
【００３２】
また、スイッチＳＷ１，ＳＷ２がいずれも正常動作するときには、回転操作部６ａが第１位置（消火位置）となるときに、スイッチＳＷ１がオフ状態となり、且つスイッチＳＷ２がオン状態となる。逆に、回転操作部６ａが第２位置（点火位置）となるときには、スイッチＳＷ１がオン状態となり、且つスイッチＳＷ２がオフ状態となる。従って、スイッチＳＷ１，ＳＷ２がいずれも正常動作し且つコネクタ部２０が正規の連結状態となっているときに、回転操作部６ａが第１位置（消火位置）に操作された場合、第１送信ポートＰ１からＨレベル信号を出力したときには、第１受信ポートＰ３でＬレベル信号が受信され、第２送信ポートＰ２からＨレベル信号を出力したときには、第２受信ポートＰ４でＨレベル信号が受信されることになる。従って、コネクタ部２０が正規の連結状態と判定されるときに、このような結果が得られない場合には、スイッチＳＷ１，ＳＷ２のいずれかが異常であることが判明する。また、スイッチＳＷ１，ＳＷ２がいずれも正常動作し且つコネクタ部２０が正規の連結状態となっているときに、回転操作部６ａが第２位置（点火位置）に操作された場合、第１送信ポートＰ１からＨレベル信号を出力したときには、第１受信ポートＰ３でＨレベル信号が受信され、第２送信ポートＰ２からＨレベル信号を出力したときには、第２受信ポートＰ４でＬレベル信号が受信されることになる。従って、コネクタ部２０が正規の連結状態と判定されるときに、このような結果が得られない場合には、スイッチＳＷ１，ＳＷ２のいずれかが異常であることが判明する。
そして、本構成では、このようなスイッチ部３０の構成を前提として以下のようなスイッチ判定処理を行っている。
【００３３】
（スイッチ判定処理）
次に、マイクロコンピュータ１０で行われるスイッチ判定処理について説明する。
マイクロコンピュータ１０では、スイッチ部３０ａに対する図５のような判定処理を所定の短時間毎（例えば５０ｍｓの周期）の間隔で周期的（定期的）に行うようになっている。なお、以下の説明において、「マイコン出力Ａ」とは、第１送信ポートＰ１からの出力電圧であり、「マイコン出力Ｂ」とは、第２送信ポートＰ２からの出力電圧である。更に、「マイコン入力ａ」とは、第１受信ポートＰ３での入力電圧であり、「マイコン入力ｂ」とは、第２受信ポートＰ４での入力電圧である。
【００３４】
まず、Ｓ１の処理において、第１送信ポートＰ１からの出力（マイコン出力Ａ）をＨレベルとし、第２送信ポートＰ２からの出力（マイコン出力Ｂ）をＬレベルとする。なお、図５の例では、Ｌレベル信号を０Ｖとし、Ｈレベル信号を３Ｖとしている。そして、この出力状態のときの第１受信ポートＰ３での入力（マイコン入力ａ）が所定閾値（例えば１．５Ｖ）以上であるか否かを判断する（Ｓ２）。Ｓ２の判断において、第１受信ポートＰ３での入力が所定閾値未満と判断される場合には、Ｓ２にてＮｏに進み、スイッチ１フラグを０とする（Ｓ３）。逆に、Ｓ２の判断において、第１受信ポートＰ３での入力が所定閾値以上と判断される場合には、Ｓ２にてＹｅｓに進み、スイッチ１フラグを１とする（Ｓ４）。そして、Ｓ３又はＳ４の後には、Ｓ５にて第２受信ポートＰ４での入力（マイコン入力ｂ）が所定閾値（例えば１．５Ｖ）以上であるか否かを判断する。Ｓ５の判断において、第２受信ポートＰ４での入力が所定閾値未満と判断される場合には、Ｓ５にてＮｏに進み、短絡フラグを０とする（Ｓ６）。逆に、Ｓ５の判断において、第２受信ポートＰ４での入力が所定閾値以上と判断される場合には、Ｓ５にてＹｅｓに進み、短絡フラグを１とする（Ｓ７）。このように、マイクロコンピュータ１０では、第１送信ポートＰ１からＨレベル信号を送信し且つ第２送信ポートＰ２からＬレベル信号を送信したときに第１受信ポートＰ３及び第２受信ポートＰ４でそれぞれ得られる受信状態を（第１受信状態）を、Ｓ２、Ｓ５にて把握している。
【００３５】
そして、Ｓ６又はＳ７の後には、第１送信ポートＰ１からの出力をＬレベルとし、第２送信ポートＰ２からの出力をＨレベルとするように切り替える。この場合も、例えばＬレベル信号を０Ｖとし、Ｈレベル信号を３Ｖとしている。そして、Ｓ９では、この出力状態のときの第２受信ポートＰ４での入力（マイコン入力ｂ）が所定閾値（例えば１．５Ｖ）以上であるか否かを判断する。Ｓ９の判断において、第２受信ポートＰ４での入力が所定閾値未満と判断される場合には、Ｓ９にてＮｏに進み、スイッチ２フラグを０とする（Ｓ１０）。逆に、Ｓ９の判断において、第２受信ポートＰ４での入力が所定閾値以上と判断される場合には、Ｓ９にてＹｅｓに進み、スイッチ２フラグを１とする（Ｓ１１）。
【００３６】
そして、Ｓ１０又はＳ１１の後には、Ｓ６又はＳ７で設定された短絡フラグが０であるか否かを判定する（Ｓ１２）。Ｓ１２の判断において、Ｓ６又はＳ７で設定された短絡フラグが０と判断される場合には、Ｓ１２にてＹｅｓに進み、スイッチ異常と判定する（Ｓ１６）。Ｓ１６でスイッチ異常と判定される場合は、コネクタ部２０が正規の連結状態ではなく、端子Ｔ１１と端子Ｔ２１とが接触していない状態、又は端子Ｔ１４と端子Ｔ２４とが接触していない状態、若しくはその両方の状態のいずれかである可能性が高いため、Ｓ１６でスイッチ異常と判定された場合にはこのようなコネクタ異常を疑うことができる。本構成では、Ｓ１６でスイッチ異常と判定された場合には、Ｓ１６でのスイッチ異常に対応するエラーコード（第１報知情報）を表示部（図示略）に表示する。
【００３７】
一方、Ｓ６又はＳ７で設定された短絡フラグが１である場合には、Ｓ１２にてＮｏに進み、Ｓ３又はＳ４で設定されたスイッチ１フラグが１であるか否かを判断する（Ｓ１３）。Ｓ１３の判断において、Ｓ３又はＳ４で設定されたスイッチ１フラグが１と判断される場合には、Ｓ１３にてＹｅｓに進み、Ｓ１０又はＳ１１で設定されたスイッチ２フラグが１であるか否かを判断する（Ｓ１７）。そして、Ｓ１７の判断において、Ｓ１０又は１１で設定されたスイッチ２フラグが０と判断される場合には、Ｓ１７にてＮｏに進み、回転操作部６ａがオン状態（スイッチオン）であると判定する（Ｓ１９）。つまり、Ｓ１９の場合には、スイッチＳＷ１がオン状態であり、スイッチＳＷ２がオフ状態であるため、回転操作部６ａの位置が、図１の二点鎖線に示す第２位置（点火位置）であると判定されることになる。そして、このように回転操作部６ａがスイッチオンと判定された場合には、回転操作部６ａに対応するこんろ部４ａにて点火制御がなされる。
【００３８】
一方、Ｓ１７の判断において、Ｓ１０又は１１で設定されたスイッチ２フラグが１と判断される場合には、Ｓ１７にてＹｅｓに進み、スイッチ異常と判定する（Ｓ１８）。つまり、この場合、スイッチＳＷ１がオン状態であり、スイッチＳＷ２もオン状態であり、正常時には生じない結果であるため、スイッチ異常と判定することになる。また、Ｓ１３の判断において、Ｓ３又はＳ４で設定されたスイッチ１フラグが０と判断される場合には、Ｓ１３にてＮｏに進み、Ｓ１０又はＳ１１で設定されたスイッチ２フラグが１であるか否かを判断する（Ｓ１４）。そして、Ｓ１４の判断において、Ｓ１０又は１１で設定されたスイッチ２フラグが０と判断される場合には、Ｓ１４にてＹｅｓに進み、スイッチ異常と判定する（Ｓ１８）。つまり、この場合、スイッチＳＷ１がオフ状態であり、スイッチＳＷ２もオフ状態であり、正常時には生じない結果であるため、スイッチ異常と判定することになる。Ｓ１８でスイッチ異常と判定される場合、コネクタ部２０は正常に接続されているが、スイッチＳＷ１、ＳＷ２のいずれかが異常である可能性が高いため、Ｓ１８でスイッチ異常と判定された場合にはこのようなスイッチ自体の異常を疑うことができる。本構成では、Ｓ１８でスイッチ異常と判定された場合には、Ｓ１８でのスイッチ異常に対応するエラーコード（第２報知情報）を表示部（図示略）に表示する。
【００３９】
一方、Ｓ１４の判断において、Ｓ１０又は１１で設定されたスイッチ２フラグが１と判断される場合には、Ｓ１４にてＹｅｓに進み、回転操作部６ａがオフ状態（スイッチオフ）であると判定する（Ｓ１５）。つまり、Ｓ１５の場合には、スイッチＳＷ１がオフ状態であり、スイッチＳＷ２がオン状態であるため、回転操作部６ａの位置が、図１の実線で示す第１位置（消火位置）であると判定されることになる。このようにスイッチオフと判定された場合には、回転操作部６ａに対応するこんろ部４ａにて消火制御又は消火状態の維持がなされる。
【００４０】
本構成では、図４のように、コネクタ部２０の正規の連結時には、第１送信ポートＰ１（対象送信ポート）と第２受信ポートＰ４（対象受信ポート）との間が、導通線（信号線Ｌ１０、第２信号線Ｌ１２、第５信号線の一部）によって接続され、第１スイッチＳＷ１及び第２スイッチＳＷ２の影響を抑えた信号伝達経路が構成される。このため、制御回路に相当するマイクロコンピュータ１０では、Ｓ１のように第１送信ポートＰ１（対象送信ポート）からＨレベル信号（所定信号）を送信し、その所定信号送信時の第２受信ポートＰ４（対象受信ポート）での受信状態をＳ５〜Ｓ７で把握することで、信号伝達経路が正常に構成されているか否か（即ち、制御回路側コネクタ２２とスイッチ側コネクタ２１とが正常に連結されているか否か）を、Ｓ１２において、正確に確認することが可能になる。
【００４１】
そして、少なくともコネクタ部２０が正常と判定される場合（即ち、Ｓ１２にてＮｏに進む場合）に、第１送信ポートＰ１及び第２送信ポートＰ２からそれぞれ送信される各送信信号と、第１受信ポートＰ３及び第２受信ポートＰ４でそれぞれ受信される各受信信号とに基づいて回転操作部６ａの位置を判別すれば、コネクタ部２０の異常に起因する誤認識等を抑制することができるため、回転操作部６ａの位置をより高精度に判別することが可能となる。
【００４２】
また、本構成では、第１送信ポートＰ１から第２信号線Ｌ１２を介して第２受信ポートＰ４に至るまでの経路を、コネクタ部２０の連結状態を判別する経路として利用することができるようになっている。特に、完全に専用化された送受信ポート及び短絡経路を設けるのではなく、スイッチ状態の判別に用いるポート及び経路をコネクタ状態の判別にも利用することができるため、ポート数の削減及び信号線の削減を図りやすくなる。
【００４３】
更に本構成では、コネクタ部２０の正規の連結時においてマイクロコンピュータ１０が第１送信ポートＰ１からＨレベル信号を送信した場合、第２受信ポートＰ４ではそのＨレベル信号に対応する信号が確認されることになる。つまり、第２受信ポートＰ４でＨレベル信号に対応する信号が確認されなければ、Ｓ１２にてＹｅｓに進むことになり、Ｓ１６にてコネクタ部２０が正常に連結されていないと判断することができる。そして、コネクタ部２０が正常に連結されていると判断できた場合、即ち、Ｓ１２にてＮｏに進む場合には、第１送信ポートＰ１からＨレベル信号を送信し且つ第２送信ポートＰ２からＬレベル信号を送信したときに第１受信ポートＰ３及び第２受信ポートＰ４でそれぞれ得られる第１受信状態（Ｓ２での判断結果）と、第１送信ポートＰ１からＬレベル信号を送信し且つ第２送信ポートＰ２からＨレベル信号を送信したときに第１受信ポートＰ３及び第２受信ポートＰ４でそれぞれ得られる第２受信状態（Ｓ９での判断結果）とを把握すれば、コネクタが正常に連結されていることを前提として、回転操作部６ａがどの位置にあるかをより一層正確に判別し易くなる。
【００４４】
また、制御回路に相当するマイクロコンピュータ１０では、第２受信ポートＰ４（対象受信ポート）での受信結果に基づいてコネクタ部２０が正常であると判定した場合において、上述の第１受信状態と第２受信状態とが予め定められた正規結果でない場合、Ｓ１８のように、第１スイッチＳＷ１及び第２スイッチＳＷ２のいずれかの異常と判定する構成となっている。このような判定方法を用いれば、第１スイッチＳＷ１又は第２スイッチＳＷ２の異常をコネクタ部２０の異常と区別してより正確に検出し易くなる。
【００４５】
また、本構成では、マイクロコンピュータ１０は、図５の処理を短い時間間隔（例えば、５０ｍｓの周期）で周期的に行い、Ｓ１の処理（即ち、第１送信ポートＰ１から所定信号（Ｈレベル信号）を送信する処理）を、時間間隔をあけて周期的（定期的）に行うようになっている。そして、第１送信ポートＰ１からの所定信号（Ｈレベル信号）の各送信時期に合わせて周期的（定期的）に第２受信ポートＰ４の受信結果を検出してコネクタ部２０の異常を判定する構成となっている。このように異常判定を行えば、異常検出用の電圧を常に印加するような構成と比較してマイクロコンピュータ１０や関連回路での電力消費を大幅に抑えることができ、一層の省電力化を図りやすくなる。
【００４６】
［他の実施形態]
本発明は上記記述及び図面によって説明した実施形態に限定されるものではなく、例えば次のような実施形態も本発明の技術的範囲に含まれる。
【００４７】
上記実施形態では、スイッチ部３０ａに対して図５のような処理を行う例を示したが、マイクロコンピュータ１０は、スイッチ部３０ｂ，３０ｃ，３０ｄのいずれに対しても、図５のような処理を個別に行うことができる。
【００４８】
上記実施形態では、Ｈレベル信号として３Ｖの信号を例示し、Ｌレベル信号として０Ｖの信号を例示したが、Ｌレベル信号よりもＨレベル信号の電圧が高ければ良く、電圧の設定は様々に変更できる。
【符号の説明】
【００４９】
１…加熱調理器
６…回転操作部（被操作部）
１０…マイクロコンピュータ（制御回路）
２０…コネクタ部
２１…スイッチ側コネクタ
２２…制御回路側コネクタ
３１…第１回路
３２…第２回路
Ｐ１…第１送信ポート（対象送信ポート）
Ｐ２…第２送信ポート
Ｐ３…第１受信ポート
Ｐ４…第２受信ポート（対象受信ポート）
ＳＷ１…第１スイッチ
ＳＷ２…第２スイッチ
Ｌ１１…第１信号線
Ｌ１２…第２信号線
Ｌ１３…第３信号線
Ｌ１４…第４信号線
Ｌ１５…第５信号線
Ｌ２１〜Ｌ２４…信号線
Ｔ１１〜Ｔ１４…端子
Ｔ２１〜Ｔ２４…端子
【図１】
2015040665.tif 000003
【図２】
2015040665.tif 000004
【図３】
2015040665.tif 000005
【図４】
2015040665.tif 000006
【図５】
2015040665.tif 000007